(57)【要約】【課題】携帯電話機の標準画面上にユーザの好みに応じた形態でメモを貼り付けることを可能とし、なおかつ標準画面に表示される画像の確認を容易に行うことが出来る通信装置を提供することにある。【解決手段】複数のキーを有する操作部１５と、標準画面（いわゆる待受画面）を表示でき、所定時間操作部１５の操作が無ければ節電モードに移行する表示部１４と、任意にユーザが選択したメモリ内のテキストデータに対応づけたデータ表示領域を並列的に表示させることができ、データ表示領域が選択されると対応するテキストデータを表示するように制御する制御回路１７を設け、データ表示領域を標準画面上に表示させる第１の状態と、表示させない第２の状態とが切り替え可能であって、表示部１４が節電モードとなっても第１の状態での表示を行うようにしたため、メモの存在の確認を確実にすることができる。【選択図】図８
2008029022.tif 000002
【特許請求の範囲】
【請求項１】
無線通信を行う通信装置であって、
複数のキーを含む入力手段と、
待受画面を表示可能であり、前記複数のキーの何れもが操作されない状態が所定時間継続すると節電モードに移行される表示手段と、
複数のテキストデータを格納する記憶手段と、
前記複数のテキストデータのうち、前記入力手段により予め選択されたテキストデータに対応付けたデータ表示領域を前記待受画面上に並列的に配置して表示可能であり、前記待受画面上に表示されたデータ表示領域の一つが前記入力手段により選択されると対応するテキストデータを前記表示手段に表示させるよう制御する制御手段と、を有し、
前記制御手段は、
前記データ表示領域を前記待受画面上に表示させる第１の状態と、表示させない第２の状態とを切り替え可能であって、前記表示手段が前記節電モードであっても、前記表示手段の表示状態を前記第１の状態とする
ことを特徴とする通信装置。
【請求項２】
前記入力手段は、前記第１の状態と第２の状態とを切り替える入力を行う所定のキーを含み、
前記制御手段は、
前記表示手段の表示状態が前記第１の状態かつ前記節電モードにあるときに前記所定のキーが操作されると、前記表示手段の表示状態を前記第２の状態に切り替えることなく前記節電モードを解除するよう制御する
ことを特徴とする請求項１に記載の通信装置。
【発明の詳細な説明】
【技術分野】
【０００１】
本発明は、たとえば携帯電話機のように、無線通信を行い、テキストデータを表示装置に表示して利用することが可能な通信装置に関するものである。
【背景技術】
【０００２】
近年の携帯電話機の高機能化に伴い、携帯電話機を使った電子メール送受信やＷｅｂページの閲覧等を通して、多くのデータを携帯電話機が記憶し、管理を行っている。そして、そのような処理を通して、携帯電話機は大量のテキストデータを扱っている。
【０００３】
たとえば、携帯電話機から無線で基地局（ＢＳ：Ｂａｓｅ  Ｓｔａｔｉｏｎ）に接続し、基地局からパケット制御装置およびＩＰアドレスと携帯電話番号に変換を行うパケット用ゲートウェイ等を経て、インターネット上のＷＷＷ（Ｗｏｒｌｄ  Ｗｉｄｅ  Ｗｅｂ）サーバへのアクセス、電子メール利用等のデータ通信により、大量のテキストデータが携帯電話機の中に取り込まれる。  
また、上述した無線通信を行わない場合でも、ユーザから携帯電話機への入力により、電話番号等の相手先属性データやテキストによるメモの形で、大量のテキストデータが携帯電話機の中に取り込まれる。
【０００４】
このように、日々携帯電話機の中に取り込まれる大量のデータの中から、ユーザが必要な情報だけを抽出し、その抽出した必要な情報をユーザが忘れないようにする機能は、多機能化され大量の情報を扱う近年の携帯電話機にとって、非常に重要になっている。
【０００５】
このような機能を有する携帯電話機については種々の提案がなされている（たとえば特許文献１参照）。
【特許文献１】特開２００１−１０１０９８号公報
【発明の開示】
【発明が解決しようとする課題】
【０００６】
ところで、従来の携帯電話機において、ユーザに情報を忘れさせないようにテキストが記載されたメモを標準画面（携帯電話機の電源を立ち上げたときの非通話時画面、いわゆる待受画面）に貼り付けることは可能であったが、そのメモを表示させる領域は単一であった。したがって、携帯電話機の標準画面上にユーザがお気に入りの画像を貼り付けている場合等は、標準画面上のメモの存在によって画像の視認性が損なわれるという問題があった。  
また、従来の携帯電話機においては、携帯電話機上のキー操作により、標準画面と異なる画面上でメモを表示することは可能であったが、これではメモの存在をユーザに認識させるという機能を果たせないという問題がある。
【０００７】
本発明は、かかる事情に鑑みてなされたものであり、その目的は、携帯電話機の標準画面上にユーザの好みに応じた形態でメモを貼り付けることを可能とし、なおかつ標準画面に表示される画像の確認を確実に行うことが出来る通信装置を提供することにある。
【課題を解決するための手段】
【０００８】
上記課題を解決するため、本願発明の第１の観点にかかる通信装置は、無線通信を行う通信装置であって、複数のキーを含む入力手段と、待受画面を表示可能であり、前記複数のキーの何れもが操作されない状態が所定時間継続すると節電モードに移行される表示手段と、複数のテキストデータを格納する記憶手段と、前記複数のテキストデータのうち、前記入力手段により予め選択されたテキストデータに対応付けたデータ表示領域を前記待受画面上に並列的に配置して表示可能であり、前記待受画面上に表示されたデータ表示領域の一つが前記入力手段により選択されると対応するテキストデータを前記表示手段に表示させるよう制御する制御手段と、を有し、前記制御手段は、前記データ表示領域を前記待受画面上に表示させる第１の状態と、表示させない第２の状態とを切り替え可能であって、前記表示手段が前記節電モードであっても、前記表示手段の表示状態を前記第１の状態とすることを特徴とする。
【０００９】
さらに本発明は、前記入力手段は、前記第１の状態と第２の状態とを切り替える入力を行う所定のキーを含み、前記制御手段は、前記表示手段の表示状態が前記第１の状態かつ前記節電モードにあるときに前記所定のキーが操作されると、前記表示手段の表示状態を前記第２の状態に切り替えることなく前記節電モードを解除するよう制御することが好ましい。
【発明の効果】
【００１０】
以上説明したように、本発明によれば、極力標準画面の視認性に影響を及ぼさないようにして、メモの存在をユーザに認識させることができる利点がある。
【発明を実施するための最良の形態】
【００１１】
＜第１の実施形態＞  
以下、本発明の第１の実施形態を添付図面に関連付けて説明する。
【００１２】
図１は、本実施形態に係る携帯電話機本体の外観図の１例であり、図２は、本実施形態に係る携帯電話機の主要な回路構成を示すブロック図の１例である。
【００１３】
携帯電話機１は、図１および図２に示すように、本体ケース１１、通信部１２、音声部１３、表示部１４、入力手段としての操作部１５、記憶手段としてのメモリ１６、および制御回路１７を有している。  
なお、本発明に係る表示手段は、本実施形態における表示部１４に相当する。  
本発明に係る入力手段は、本実施形態における操作部１５に相当する。  
本発明に係る制御手段は、本実施形態における制御回路１７に相当する。
【００１４】
通信部１２は、送受信アンテナ１２１、および無線回路１２２により構成されている。  
送受信アンテナ１２１は、図１に示すように、本体ケース１１の上端部に引き出し可能に設けられている。  
無線回路１２２は、電波を利用した無線通信で行うために、制御回路１７で処理された音声情報、ＩＤ、Ｗｅｂページデータの閲覧要求情報等を変調してアンテナ１２１により図示しない基地局に送信する。  
また、無線回路１２２は、基地局から無線により送信され、アンテナ１２１で受信したページデータや音声情報等の各種情報を復調して制御回路１７に出力する。
【００１５】
音声処理部１３は、音声処理回路１３１を有し、通話機能のために音声入力を行うマイクロフォン１３２と音声出力を行うスピーカ１３３が接続されている。  
音声処理回路１３１は、マイクロフォン１３２により入力した音声に対して所定の処理を行って制御回路１７に供給する。  
また、音声処理回路１３１は、制御回路１７により供給された音声情報に対して所定の処理を行ってスピーカ１３３から出力させる。  
図１に示すように、マイクロフォン１３２は、ケース本体１１の操作部１５の下部に配置され、スピーカ１３３は表示部１４の上部に配置されている。
【００１６】
表示部１４は、図１に示すように、ケース本体１１の上部側に配置された液晶表示装置（ＬＣＤ）等の表示デバイスを有し、通話機能のために入力した電話番号や各種メッセージ、テキストデータを含むメモ等を表示する。  
また、表示部１４は、たとえば最上段の１行分は、モードの種類、電波の強さ、電池残量等を表示するガイド表示行として用いられる。
【００１７】
特に、本実施形態における表示部１４は、制御回路１７の制御に基づいて、標準画面上に貼り付けメモと呼ぶ所定の大きさのウィンドウ（データ表示領域）を複数個表示させることが可能である。  
本実施形態においては、ウィンドウは２種類設定しており、記号のみを表示する小さなウィンドウと、記号とテキストデータ若しくはその一部を表示する大きなウィンドウである。  
これらのウィンドウは標準画面上に表示部１４に表示されるため、メモの存在をユーザに効果的に認識させることができる。
【００１８】
操作部１５は、図１に示すように、ケース本体１１の下部側に配置され、終了（終話）／電源キー１５ａ、開始（発呼）キー１５ｂ、閲覧モードキー１５ｃ、上下左右キー１５ｄ、ファンクションキー１５ｅ、数字０〜９やア（あ）行〜ワ（わ）行文字に対応した複数（１０個）のテンキー１５ｆ、＊キー１５ｇ、＃キー１５ｈ、文字キー１５ｉ、クリアキー１５ｊ等を有する。
【００１９】
記憶手段としてのメモリ１６は、たとえばＥＥＰＲＯＭを含んで構成され、通話やメールの送受信のための制御プログラム、インターネットブラウザ、メッセージデータ、名前および電話番号が登録されたアドレス帳等が記憶される。
【００２０】
メモリ１６には、さらに貼り付けメモのデータ（貼り付けメモデータ）が格納される。貼り付けメモのデータは、テキストデータと記号データと表示フラグとウィンドウ表示位置データとがセットとなったテーブルデータである。  
ここで、テキストデータは、メモリ１６内に格納した様々なテキストデータ、またはその一部をユーザが操作部１５を通して選択する。  
記号データは、貼り付けメモが表示部１４に表示されるときにユーザにメモの属性を識別が容易となるように設定される識別記号であり、記号データと別に格納される画像データやアイコン（ＩＣＯＮ）等の記号が関連付けられている。  
また、表示フラグとは、貼り付けメモの表示部１４への表示モードを示している。  
この表示フラグにより、たとえば表示フラグ１のときは、記号のみを表示部１４に表示し、表示フラグが０のときは、記号とテキストデータ（またはその一部）を表示部１４に表示するように、制御回路１７が表示部１４を制御することができる。  
さらに、ウィンドウ表示位置データにより、表示部１４のどこにテキストデータ（またはその一部）や記号をウィンドウとして表示させるのかを特定することができる。表示部１４には、標準画面上にウィンドウを例えば縦並びに複数表示させることが可能に構成されており、標準画面の背景表示部（時計表示など）に重複しない位置などを優先して選択するといった用い方ができる。
【００２１】
制御回路１７は、マイクロコンピュータを主体して構成されて携帯電話機１の全体の制御を行う。たとえば、制御回路１７は、通信部１２における各種情報の無線による送受信の制御、音声処理部１３に対する音声情報の処理、表示部１４への情報の表示制御、操作部１５の入力情報に応じた処理、およびメモリ１６への処理に応じたアクセス制御等を行う。  
また、メモリ１６に格納された上述した貼り付けメモデータのテーブルデータに基づいて、表示部１４を制御して、貼り付けメモを標準画面上に並列的に表示（貼り付け）する。
【００２２】
次に、図３および図４を用いて、本実施形態における携帯電話機１の動作について説明する。  
図３は、携帯電話機１が有する貼り付けメモの登録処理のフローチャートである。図４は、携帯電話機１の貼り付けメモ登録処理における表示部１４の表示内容を示す図である。
【００２３】
図３において、まずユーザによりテキストデータの選択が行われる（ＳＴ１０）。
【００２４】
テキストデータの選択においては、様々なテキストデータを選択することができる。たとえば、選択するテキストデータはメモ帳のデータでもよいし、受信したメールのテキストデータの一部でもよい。  
このような様々なテキストデータを、ユーザは操作部１５を通して選択し、選択されたテキストデータが図示しないバッファに取り込まれる。
【００２５】
図４に示す例では、メモ帳のデータの中から識別番号「０：」のデータが選択されており（画面ＳＣ１０）、選択されたデータに０４５９４３６１３４（電話番号）が入力されている（画面ＳＣ１１）。そして、入力されたデータはメモ帳画面上で表示可能になり（画面ＳＣ１２）、所定のキーを押下（操作）することでサブメニューを呼び出し「貼付メモ登録」を選択することにより（画面ＳＣ１３）、表示部１４はアイコン（記号）選択画面を表示する（画面ＳＣ１４）。
【００２６】
この時点では、テキストデータと記号データと表示フラグとから構成される貼り付けメモデータであるテーブルデータが、メモリ１６上に作成され、選択されたテキストデータ（０４５９４３６１３４）がテーブルデータに格納される（ＳＴ１１）。  
さらに、図４に示すとおり、アイコン選択画面が表示されるので（ＳＴ１２及び画面ＳＣ１４）、ユーザが所望のアイコン（記号）を選択すると（ＳＴ１３）、対応するアイコンを特定する記号データが貼り付けメモデータであるテーブルデータに格納される（ＳＴ１４）。
【００２７】
次に、ウィンドウ選択画面が表示される（ＳＴ１５）。  
ウィンドウ選択は２種類からなり、記号（アイコン）のみを表示する小さなウィンドウと、記号（アイコン）とテキストデータ若しくはその一部を表示する大きなウィンドウから選択できる（画面ＳＣ１５）。  
ユーザがウィンドウを選択し、画面ＳＣ１６ａに示すように、ウィンドウ表示領域を縦並びにいずれかの位置を指定した後、所定キーを押下（操作）すると（ＳＴ１６）、選択したウィンドウに応じた表示フラグおよびウィンドウ表示位置データが貼り付けメモデータであるテーブルデータに格納される（ＳＴ１７）。
【００２８】
以後、選択されたウィンドウ表示に従って、貼り付けメモが貼り付けられた標準画面を表示部１４は表示する（ＳＴ１８）。  
図４においては、画面ＳＣ１６ａ〜ＳＣ２０ａが大きなウィンドウ表示を選択した場合であり、画面ＳＣ１６ｂ〜ＳＣ１７ｂが小さなウィンドウ表示を選択した場合である。
【００２９】
ここで、標準画面上の１の貼り付けメモが選択され（画面ＳＣ１８ａ）、所定のキーが押下されると、表示部１４にはメモ帳画面が表示され、選択された貼り付けメモに含まれるテキストデータが表示される（ＳＣ１９ａ）。
【００３０】
図４から明らかなように、大きなウィンドウ表示には、テキストデータの一部が視認できるので、メモの内容が容易に想起できるという利点があり、また、小さなウィンドウ表示には、メモの存在を標準画面上に確保しつつ、背景画面の視認性が大きなウィンドウと比較して向上するので、たとえば背景画面にユーザが気に入っている画像等を貼り付けている場合には、その画像を極力隠さないようにメモを表示させることができるという利点がある。
【００３１】
以上のようにして、順次貼り付けメモの登録を行うことにより、制御回路１７は、複数のウィンドウを順次並列的に表示部１４に配置させる（画面ＳＣ１６ａおよびＳＣ１６ｂ）。
【００３２】
また、標準画面上に貼り付けメモが貼り付けられた状態で、ユーザは上下左右キー１５ｄを操作する等により、複数の貼り付けメモのウィンドウの中から１のウィンドウを選択できる。  
このように貼り付けメモのウィンドウを選択し、図４の画面ＳＣ１７ａから所定のキーを押下（操作）することにより得られる画面ＳＣ１８ａにおいて、貼り付け位置を変更することができる。  
すなわち、ユーザの貼り付けメモのウィンドウ位置変更指令に基づいて、制御回路１７は貼り付け位置に関するデータを更新し、表示部１４に新しい貼り付け位置により表示させる。
【００３３】
また、画面ＳＣ１８ａでは、所定のキーを押下（操作）することでサブメニューを呼び出し、貼り付けメモの登録削除（メモリ１６から消去）をすることも可能である。
【００３４】
すでに説明したように、貼り付けメモに登録するテキストデータは、携帯電話機１のメモリ１６に格納された様々なテキストデータ、またはその一部を抜き出して登録することができる。
【００３５】
図５および図６は、受信メール中のテキストデータが貼り付けメモに登録される場合の表示部１４の表示動作を例示する図である。  
図５の画面ＳＣ２０〜ＳＣ２３においては、携帯電話機１が受信した受信メールの一部のテキストデータを貼り付けメモに登録する場合の表示部１４の表示動作を示している。  
図５では、受信メールの一部である電話番号「０４５９４３６１３４」が、上下左右キー１５ｄ等により選択され、所定のキーを操作することにより、貼り付けメモ登録画面に移行するように、制御回路１７が動作する。
【００３６】
図６の画面ＳＣ３０〜ＳＣ３６においては、携帯電話機１が受信した受信メールの一部のテキストデータを貼り付けメモに登録する場合の表示部１４の表示動作を示している。  
図６では、受信メールの一部のメッセージが、上下左右キー１５ｄ等により選択され、所定のキーを操作することにより、貼り付けメモ登録画面に移行するように、制御回路１７が動作する。
【００３７】
いずれの場合も、テキストデータが選択されて、メモリ１６内の貼り付けメモのテーブルデータに格納され、順に、記号データおよび表示フラグがテーブルデータに格納されていく動作は、図３および図４を用いて上述した動作と同様である。
【００３８】
以上説明したように、本実施形態における携帯電話機１によれば、標準画面を表示する表示部１４と、複数のキーを含む操作部１５と、任意にユーザがメモリから抽出したテキストデータに対応した貼り付けメモを一定の表示領域を有するウィンドウにして並列的に表示させることができ、テキストデータの少なくとも一部をそのウィンドウ上に表示するように表示部１４を制御する制御回路１７を設けたので、ユーザは操作部１５のキー操作によりメモ内容を表示させる必要がなく、常にメモ内容が標準画面上に表示されているので、メモ要件を容易に想起することができる。  
また、ユーザの貼り付け位置の変更、不要になった貼り付けメモの削除により、表示部の背景画像等に極力影響を及ぼさないように貼り付けメモを調整することができる。  
また、ウィンドウのサイズを大小の２種類を設定され、ユーザ入力により格納された貼り付けメモのテーブルデータの表示フラグに基づいて、制御回路１７は表示部１４を制御するので、ユーザは嗜好に応じて、貼り付けメモの表示態様を選択できる。  
すなわち、大きなウィンドウ表示では、テキストデータの一部の視認により、メモの内容が容易に想起できるという利点があり、また、小さなウィンドウ表示では、メモの存在を標準画面上に確保しつつ、背景画面の視認性が大きなウィンドウと比較して向上するので、たとえば背景画面にユーザが気に入っている画像等を貼り付けている場合には、その画像を極力隠さないようにメモを表示させることができるという利点があり、ユーザは、嗜好に応じてウィンドウのサイズを選択することができる。しかも、テキストデータ毎にその内容を考慮したアイコンを対応付けておけば、ユーザは小さなウィンドウ表示であってもアイコンを見るだけで、そのテキスト内容を連想できる。
【００３９】
なお、本実施形態では、ウィンドウの大きさとして２種類設定された場合の例を説明したが、仕様に応じて複数の大きさのウィンドウを設定することが可能であることはいうまでもない。
【００４０】
＜第２の実施形態＞
以下、本発明の第２の実施形態を添付図面に関連付けて説明する。  
なお、本実施形態での携帯電話機の構成は、第１の実施形態における携帯電話機１と同様であり、さらに、制御回路１７において、貼り付けメモのウィンドウの表示部１４への表示／非表示選択機能を有する。
【００４１】
図７は、貼り付けメモの標準画面上での表示／非表示についての状態遷移図である。  
図７において、状態１は、通常モードであって、貼り付けメモを表示する表示部１４の状態である。通常モードは、節電モードと異なり、バックライトが動作しているモードである。  
状態２は、通常モードであって、貼り付けメモを表示しない表示部１４の状態である。  
状態３は、節電モードであって、貼り付けメモを表示する表示部１４の状態である。
【００４２】
貼り付けメモは、ユーザにメモの存在を認識させることに重要な機能価値があるため、極力標準画面に貼り付けて、容易に視認可能な状態に設定しておくことが望ましい。
【００４３】
しかし、複数の貼り付けメモがすでに登録され、標準画面上に複数のウィンドウが表示されている場合であっても、標準画面上に表示されている内容を確認したい場合がある。
【００４４】
すなわち、たとえば標準画面上に日時が表示されており、その一部が貼り付けメモのウィンドウにより隠れているときに、ユーザがその隠れている一部を確認したい場合や、ユーザがお気に入りの画像を標準画面に貼り付けているときにその画像を見たい場合等である。
【００４５】
そこで、所定のキーを押下する等により、貼り付けメモのウィンドウの表示／非表示を切り替えることができれば、上述したユーザの希望に対処することが可能である。  
図７においては、例えば「終話キー」１５ａをユーザが押下することにより、貼り付けメモのウィンドウの表示／非表示を切り替えるように、制御回路１７が表示部１４を制御している。すなわち、状態１と状態２を順次切り替える制御を行っている。
【００４６】
また、図７においては、状態１から状態２へ移行した後、所定時間、たとえば３０秒間経過した場合は状態１に表示が戻るように、制御回路１７は表示部１４を制御している。  
これは、上述したように、貼り付けメモは、ユーザにメモの存在を認識させることに重要な機能価値があり、極力標準画面に貼り付けた状態にしておくことが望ましいため、ユーザが戻し忘れることがないように、所定時間後は再度貼り付けメモを表示させるようにしたものである。
【００４７】
また、所定時間の後、通常モードから節電モードに自動的に移行することに伴い、状態１から状態３へ移行する。  
状態１と状態３の間においても、上述した観点から、貼り付けメモは表示されたままである。
【００４８】
図８は、図７の状態遷移図を用いて説明した制御回路１７による表示部１４の制御を、具体的な表示画面により例示した図である。  
図８において、背景画面のうち貼り付けメモのウィンドウにより隠れた日付部分（画面ＳＣ４０）を、ユーザが確認したい場合に、「終話キー」１５ａを押下することにより、貼り付けメモのウィンドウが非表示となり、日付が確認できる（画面ＳＣ４１）。
【００４９】
以上説明したように、本実施形態によれば、第１の実施形態で説明した効果に加え、制御回路１７において、貼り付けメモのウィンドウの表示部１４への表示／非表示選択機能を付加したので、ユーザの要望に応じて、貼り付けメモのウィンドウを非表示として、標準画面を確認することが可能である。  
さらに、貼り付けメモのウィンドウを非表示とした場合であっても、所定時間経過後に自動的に表示させるため、ユーザの貼り付けメモ表示画面への戻し忘れを防止することができる。
【００５０】
なお、本実施形態では、貼り付けメモの表示／非表示の切替えを操作部１５の「終話キー」１５ａにより実現しているが、操作部１５の任意のキーにより設定することが可能であることはいうまでもない。
【００５１】
＜第３の実施形態＞  
以下、本発明の第３の実施形態を添付図面に関連付けて説明する。  
なお、本実施形態での携帯電話機の構成は、第１の実施形態において説明した携帯電話機１と同一である。  
また、本発明に係る無線通信手段は、本実施形態における通信部１２に相当する。
【００５２】
本実施形態における携帯電話機１の制御回路１７は、電話番号やメールアドレス、ＵＲＬ等の通信情報に関する文字列が貼り付けメモのテキストデータに含まれている場合には、ユーザの操作により貼り付けメモが開かれたとき（メモ帳画面になったとき）に、その通信情報に関する文字列を該文字列以外のテキストデータと異なる外観で、表示部１４に表示させる。  
たとえば、制御回路１７は、上述した通信情報に関する文字列だけを表示部１４に青色にして表示させる。
【００５３】
貼り付けメモのウィンドウを開かれて、メモ帳画面上に表示されたテキストデータの中で、上述したように、通信情報に関する文字列だけが異なる外観で表示された状態においては、ユーザの上下左右キー１５ｄ等の操作により１の通信情報が選択され、所定のキーが押下されると、制御回路１７は、選択された通信情報に基づいて、通信部１２に通信の開始を指示する。
【００５４】
通信部１２において、無線回路１２２では、電波を利用した無線通信で行うために、制御回路１７で処理された電話番号やメールアドレス、ＵＲＬ等の通信情報に基づいて、たとえばＷｅｂページデータの閲覧要求情報等を変調してアンテナ１２１により図示しない基地局に送信する。
【００５５】
図９は、本実施形態における携帯電話機の動作を説明するためのフローチャートである。  
図９において、まず貼り付けメモが標準画面上で選択され、所定のキーが押下されると（ＳＴ２０）、制御回路１７は、選択された貼り付けメモに対応するメモリ１６内のテーブルデータを参照し、テキストデータを表示部１４に表示させる（ＳＴ２１）。  
その際、制御回路１７は、メモリ１６に格納されたテーブルデータのテキストデータに電話番号やメールアドレス、ＵＲＬ等の通信情報に関連する文字列が含まれている場合には、それらの文字列をこれらの情報の宛て先として発呼、メール送信、インターネット接続を行えると判別し、該文字列以外のテキストデータと外観を変更（アンダーライン付加や白抜き文字表示や点滅などで）して、表示部１４に表示させる。
【００５６】
さらに、上述した１の文字列がユーザにより選択され、所定のキーが押下されると（ＳＴ２２）、制御回路１７は、無線回路１２２を制御することにより、ユーザ所望の通信が開始される（ＳＴ２３）。
【００５７】
図１０および図１１は、本実施形態における携帯電話機における表示部１４の表示動作を説明するための図である。  
図１０は、たとえばメモリ１６に格納された着信履歴データを貼り付けメモとして登録するときの表示部１４の表示動作を示している（画面ＳＣ６０〜６３）。  
図１１は、図１０に示すとおり登録された貼り付けメモの内容をワンアクションで実行する場合の表示部１４の表示動作を示している（画面ＳＣ７０〜７２ａ，７２ｂ）。
【００５８】
図１０のとおり、着信履歴データの１つである電話番号が貼り付けメモとして登録された場合、その電話番号が着信履歴データにおいて相手先等を示すテキストデータと関連付けられているときは、図１１の画面ＳＣ７０において、貼り付けメモのウィンドウ上においては、「テキストデータ  電話番号（通信情報）」のフォーマットで表示するように、制御回路１７は表示部１４を制御する。  
これにより、ユーザへのメモの認識度が向上する。  
図１１の画面ＳＣ７１において、図１０で登録した貼り付けメモが選択され、ファンクションキー１５ｅ等の所定のキーが押下されると、メモ帳画面において、電話番号を示す「０９８７６５４３２  」が他のテキストデータと異なる外観で表示される（画面ＳＣ７２ａ）。  
この状態で、さらにファンクションキー１５ｅ等の所定のキーが押下されると、上述したように、無線通信が開始される。具体的には、上記電話番号が発信される。
【００５９】
以上説明したように、本実施形態に係る携帯電話機によれば、電話番号やメールアドレス、ＵＲＬ等の通信情報に関する文字列が貼り付けメモのテキストデータに含まれている場合には、ユーザがその貼り付けメモを開いたときに、その通信情報に関する文字列を該文字列以外のテキストデータと異なる外観で、表示部１４に表示させ、さらに、ユーザにより１の通信情報が選択され、所定のキーが押下されると、制御回路１７は、選択された通信情報に基づいて、通信部１２に通信の開始を指示するように、制御回路１７を構成したので、メモ内容に通信情報が含まれている場合には、その通信情報に基づいてワンアクションで通信内容を実行させることが可能となる。
【図面の簡単な説明】
【００６０】
【図１】第１の実施形態に係る携帯電話機の外観図である。
【図２】第１の実施形態に係る携帯電話機本体の主要な回路構成を示すブロック図である。
【図３】第１の実施形態における貼り付けメモの登録時の処理を説明するためのフローチャートである。
【図４】第１の実施形態における貼り付けメモの登録時の表示部の動作を説明するための図である。
【図５】第１の実施形態における貼り付けメモの登録時の表示部の動作を説明するための図である。
【図６】第１の実施形態における貼り付けメモの登録時の表示部の動作を説明するための図である。
【図７】第２の実施形態における表示部の動作の状態遷移図である。
【図８】第２の実施形態における貼り付けメモの表示／非表示の表示部の動作を説明するための図である。
【図９】第３の実施形態における貼り付けメモ内容に基づく通信開始処理を説明するためのフローチャートである。
【図１０】第３の実施形態における貼り付けメモの登録時の表示部の動作を説明するための図である。
【図１１】第３の実施形態における貼り付けメモ内容実行時の表示部の動作を説明するための図である。
【符号の説明】
【００６１】
１…携帯電話機
１１…本体ケース
１２…通信部
１２１…送受信アンテナ
１２２…無線回路
１３…音声処理部
１３１…音声処理回路
１３２…マイクロフォン
１３３…スピーカ
１４…表示部
１５…操作部
１６…メモリ
１７…制御回路
【図１】
2008029022.tif 000003
【図２】
2008029022.tif 000004
【図３】
2008029022.tif 000005
【図４】
2008029022.tif 000006
【図５】
2008029022.tif 000007
【図６】
2008029022.tif 000008
【図７】
2008029022.tif 000009
【図８】
2008029022.tif 000010
【図９】
2008029022.tif 000011
【図１０】
2008029022.tif 000012
【図１１】
2008029022.tif 000013